(57)【要約】    【課題】      折り畳み式携帯無線機の多様な使用状態においても、通信に支障を及ぼすことなく、高いアンテナ放射効率を確保する薄型の携帯無線機を提供すること。    【解決手段】  第１筐体と第２筐体とをヒンジ部で連結して開閉自在な機構を有する折り畳み式携帯無線機の第１筐体内に板状導体１０４と、この板状導体１０４と離間して板状導体１０６及び１０７とを設け、携帯無線機の使用状態を当該携帯無線機の傾き角から判断するため重力センサ１２２が傾き角を検知し、制御部１２３が傾き角に応じて高周波スイッチ１１２を制御することにより、板状導体１０６及び１０７に選択的に給電する。また、板状導体１０４は、板状導体１０６又は１０７に給電される位相と異なる位相で通信中常時給電される。  【選択図】      図１
2005130216.tif 000002
【特許請求の範囲】
【請求項１】
第１筐体と第２筐体とをヒンジ部で連結して開閉自在な機構を有する折り畳み式携帯無線機であって、
前記第１筐体内の第１の面側に前記第１筐体の長さ方向に沿って配置された第１板状導体と、
前記第１筐体内の第１の面と向かい合う第２の面側に前記第１筐体の長さ方向に沿って配置された第２及び第３板状導体と、
前記第１板状導体に給電すると共に、前記第１板状導体を給電する位相に対して異なる位相で前記第２又は第３板状導体に選択的に給電する給電手段と、
を具備することを特徴とする携帯無線機。
【請求項２】
自機の傾き角を検知する検知手段と、
前記検知手段によって検知された傾き角に応じて前記第２板状導体又は前記第３板状導体に給電するように制御する制御手段と、
を具備することを特徴とする請求項１に記載の携帯無線機。
【請求項３】
前記制御手段は、前記第１板状導体に給電する位相と前記第２又は第３板状導体に給電する位相との位相差を前記検知手段によって検知された傾き角に応じて制御することを特徴とする請求項２に記載の携帯無線機。
【請求項４】
受信レベルを測定する測定手段を具備し、
前記制御手段は、受信レベルが所定値未満となった場合、前記第２及び第３板状導体の切替制御を行う
ことを特徴とする請求項２に記載の携帯無線機。
【請求項５】
第１筐体と第２筐体とをヒンジ部で連結して開閉自在な機構を有する折り畳み式携帯無線機であって、
前記第１筐体内の第１の面側に前記第１筐体の長さ方向に沿って配置された第１及び第２板状導体と、
前記第１板状導体に給電する位相に対して異なる位相で前記第２板状導体に給電する給電手段と、
を具備することを特徴とする携帯無線機。
【請求項６】
前記第１板状導体及び前記第２板状導体は、主偏波方向が前記第１筐体の幅方向と同一方向となるように配置されたことを特徴とする請求項５に記載の携帯無線機。
【請求項７】
自機の傾き角を検知する検知手段と、
前記第１板状導体に給電する位相と前記第２板状導体に給電する位相との位相差を前記検知手段によって検知された傾き角に応じて制御する制御手段と、
を具備することを特徴とする請求項５又は請求項６に記載の携帯無線機。
【発明の詳細な説明】
【技術分野】
【０００１】
本発明は、携帯電話等の携帯無線機に関し、例えば、第１筐体と第２筐体とがヒンジ部を介して結合された開閉自在な携帯無線機に適用して好適なものである。
【背景技術】
【０００２】
近年広く利用されている折り畳み式の携帯電話機は、一般に、上部筐体と下部筐体をヒンジ部で連結して開閉自在な機構を有するものである。また、最近発売されている携帯電話は、そのデザイン性を重要視してアンテナが内蔵され、薄型化を追求している端末が数多くある（例えば、特許文献１参照）。
【０００３】
このような携帯電話を使用して通話を行う場合、使用者が携帯電話を手で握って耳に近接させて通話する状態（以下、「通話状態」という）が一般的であり、また、電子メールやテレビ電話などの通信を行う場合、使用者が胸の前に携帯電話を手で握って操作する状態（以下、「操作状態」という）が一般的である。このような様々な使用状態に対して、良好な通信品質を確保するため、携帯電話の比較的離れた部位に複数のアンテナを備えておき、使用状態に応じてアンテナを切り替えるアンテナ切替ダイバーシチ技術がある（例えば、特許文献２参照）。
【０００４】
アンテナ切替ダイバーシチ方式では、通信中にアンテナが切り替えられた瞬間に一時的にアンテナが接続されていない（開放）状態となり、また、切り替え前後でアンテナ利得が大幅に変動することになる。ＴＤＭＡ方式においては、通信に必要な時間スロット以外のガードタイムにおいて切替ダイバーシチ動作を行っているため、このようなアンテナの瞬間的な開放や利得変動は問題とならない。
【特許文献１】特開２００１−１５６８９８号公報
【特許文献２】特開２００２−６４３１４号公報
【発明の開示】
【発明が解決しようとする課題】
【０００５】
しかしながら、符号分割多元接続（ＣＤＭＡ）方式においては、一般に携帯無線機側で連続送信動作や送信電力制御が行われているため、通信中にアンテナを切り替えることによりアンテナ利得が劣化すると、通信に支障を及ぼすことがある。
【０００６】
また、特許文献１に記載の技術では、アンテナの指向性を制御する手段がないため、通話状態や操作状態において人体方向への放射が高く、アンテナ放射効率が劣化し易いという問題がある。
【０００７】
また、特許文献２に記載の技術では、フリップを開いた状態では、位相制御を行うことにより指向性を変化させることができるものの、フリップを閉じた状態では、指向性制御を行うことができずアンテナ放射効率が劣化し易く、また、外部にヘリカルアンテナが突出するため、携帯電話のデザイン性が損なわれるという問題がある。
【０００８】
本発明はかかる点に鑑みてなされたものであり、折り畳み式携帯無線機の多様な使用状態においても、通信に支障を及ぼすことなく、高いアンテナ放射効率を確保する薄型の携帯無線機を提供することを目的とするものである。
【課題を解決するための手段】
【０００９】
本発明の携帯無線機は、第１筐体と第２筐体とをヒンジ部で連結して開閉自在な機構を有する折り畳み式携帯無線機であって、前記第１筐体内の第１の面側に前記第１筐体の長さ方向に沿って配置された第１板状導体と、前記第１筐体内の第１の面と向かい合う第２の面側に前記第１筐体の長さ方向に沿って配置された第２及び第３板状導体と、前記第１板状導体に給電すると共に、前記第１板状導体を給電する位相に対して異なる位相で前記第２又は第３板状導体に選択的に給電する給電手段と、を具備する構成を採る。
【００１０】
この構成によれば、第１板状導体に給電すると共に、第１板状導体を給電する位相に対して異なる位相で第２又は第３板状導体に選択的に給電することにより、指向性を形成することができるので、人体方向に向かないように位相を調整しておけば、人体方向への放射を抑え、アンテナ放射効率を向上させることができる。また、第１板状導体には通信中常時給電するので、連続送信を行う通信方式で通信中に携帯無線機の使用状態が変わっても、通信に支障を及ぼすことを回避することができる。
【００１１】
本発明の携帯無線機は、上記構成において、自機の傾き角を検知する検知手段と、前記検知手段によって検知された傾き角に応じて前記第２板状導体又は前記第３板状導体に給電するように制御する制御手段と、を具備する構成を採る。
【００１２】
この構成によれば、携帯無線機の使用状態により傾き角が変わり、その傾き角に応じて第２板状導体又は第３板状導体に給電するように制御することにより、使用状態に応じた指向性を形成することができ、通信中に携帯無線機の使用状態が変わっても、人体方向への放射を抑え、アンテナ放射効率を向上させることができる。
【００１３】
本発明の携帯無線機は、上記構成において、前記制御手段が、前記第１板状導体に給電する位相と前記第２又は第３板状導体に給電する位相との位相差を前記検知手段によって検知された傾き角に応じて制御する構成を採る。
【００１４】
この構成によれば、第１板状導体に給電する位相と第２又は第３板状導体に給電する位相との位相差を携帯無線機の傾き角に応じて制御することにより、使用状態に応じた指向性を形成することができ、通信中に携帯無線機の使用状態が変わっても、人体方向への放射を抑え、アンテナ放射効率を向上させることができる。
【００１５】
本発明の携帯無線機は、上記構成において、受信レベルを測定する測定手段を具備し、前記制御手段は、受信レベルが所定値未満となった場合、前記第２及び第３板状導体の切替制御を行う構成を採る。
【００１６】
この構成によれば、受信レベルが所定値未満となった場合、第２及び第３板状導体の切替制御を行うことにより、使用者が第２又は第３板状導体付近を手で保持している場合に、給電されている板状導体を他の板状導体に切り替えることで、アンテナ放射効率を向上させる可能性を高めることができる。
【００１７】
本発明の携帯無線機は、第１筐体と第２筐体とをヒンジ部で連結して開閉自在な機構を有する折り畳み式携帯無線機であって、前記第１筐体内の第１の面側に前記第１筐体の長さ方向に沿って配置された第１及び第２板状導体と、前記第１板状導体に給電する位相に対して異なる位相で前記第２板状導体に給電する給電手段と、を具備する構成を採る。
【００１８】
この構成によれば、第１板状導体を給電する位相に対して異なる位相で第２板状導体に給電することにより、指向性を形成することができるので、人体方向に向かないように位相を調整しておけば、人体方向への放射を抑え、アンテナ放射効率を向上させることができる。また、第１板状導体には通信中常時給電するので、連続送信を行う通信方式で通信中に携帯無線機の使用状態が変わっても、通信に支障を及ぼすことを回避することができる。さらに携帯無線機の一層の薄型化を図ることができる。
【００１９】
本発明の携帯無線機は、上記構成において、前記第１板状導体及び前記第２板状導体は、主偏波方向が前記第１筐体の幅方向と同一方向となるように配置された構成を採る。
【００２０】
この構成によれば、第１及び第２板状導体を主偏波方向が前記第１筐体の幅方向と同一方向となるように配置されるので、携帯無線機が様々な状態で使用されても人体方向に放射される可能性が低く、アンテナの放射効率を向上させることができる。
【００２１】
本発明の携帯無線機は、上記構成において、自機の傾き角を検知する検知手段と、前記第１板状導体に給電する位相と前記第２板状導体に給電する位相との位相差を前記検知手段によって検知された傾き角に応じて制御する制御手段と、を具備する構成を採る。
【００２２】
この構成によれば、第１板状導体に給電する位相と第２板状導体に給電する位相との位相差を携帯無線機の傾き角に応じて制御することにより、使用状態に応じた指向性を形成することができ、通信中に携帯無線機の使用状態が変わっても、人体方向への放射を抑え、アンテナ放射効率を向上させることができる。
【発明の効果】
【００２３】
以上説明したように、本発明によれば、第１筐体と第２筐体とをヒンジ部で連結して開閉自在な機構を有する折り畳み式携帯無線機の第１筐体内に少なくとも２つの板状導体を設け、１つの板状導体に通信中常時給電すると共に、他の板状導体に位相差を設けて給電することにより、折り畳み式携帯無線機の多様な使用状態において、ＣＤＭＡ方式の通信に支障を及ぼすことなく、高いアンテナ放射効率と高い実効利得を確保することができ、さらに薄型の携帯無線機を実現することができる。
【発明を実施するための最良の形態】
【００２４】
以下、本発明の実施の形態について、図面を参照して詳細に説明する。
【００２５】
（実施の形態１）
図１は、本発明の実施の形態１に係る携帯無線機の構成を示す図である。この図では、折り畳み式携帯無線機が開かれた状態（以下、「開状態」という）を示している。図１（ａ）は携帯無線機の背面図であり、図１（ｂ）は図１（ａ）におけるＡ−Ａ’の断面図である。
【００２６】
第１筐体としての上ケース１０１及び第２筐体としての下ケース１０２は、絶縁体である樹脂により構成されており、一般に、長さが１００ｍｍで幅が５０ｍｍ程度に設定されている。上ケース１０１及び下ケース１０２はヒンジ部１０３において回動可能に接続されており、これにより折り畳み型構造が形成される。
【００２７】
板状導体１０４は、例えば、長さＬ１が７０ｍｍで幅Ｗ１が４５ｍｍ程度の銅板からなり、上ケース１０１の内部において該ケースに設けられたＬＣＤ等の表示部１０５に沿って配置されている。
【００２８】
板状導体１０６、板状導体１０７は、例えば、長さＬ１が７０ｍｍで幅Ｗ２及びＷ３が２０ｍｍ程度の銅板からなり、上ケース１０１の内部において該ケースの表示部１０５面と反対面に沿って配置されている。板状導体１０６と板状導体１０７の間隔Ｇは、例えば、５ｍｍに設定されている。板状導体１０６及び板状導体１０７と板状導体１０４との間隔Ｈは、例えば、５ｍｍに設定されている。また、板状導体１０４、板状導体１０６及び板状導体１０７は、その厚みが、例えば、０．１ｍｍ程度に設定され、厚みが例えば７ｍｍ程度と薄い上ケース１０１の内部において、表示素子などの他の構成部品と構造的に干渉しないように配置されている。
【００２９】
グラウンド板１０８は、例えば、長さが９０ｍｍで幅が４５ｍｍ程度の導体板であり、一般には、下ケース１０２の内部に配設されている回路のグラウンドパターンが利用される。グラウンド板１０８上には、回路のグランド電位となるグラウンドパターンがほぼ全面に形成されている。
【００３０】
無線回路１０９は、受信回路及び送信回路を備え、受信回路では受信電力を測定し、測定した受信電力を制御部１２３に通知する。また、無線回路１０９は、電力分配器１１０及び位相器１１１を介して整合回路１１４に給電すると共に、電力分配器１１０及び高周波スイッチ１１２を介して整合回路１１３又は整合回路１１５に給電する。
【００３１】
電力分配器１１０は、例えば、ウィルキンソン型回路で構成される電力分配器であり、無線回路１０９から出力された高周波信号を同振幅かつ同位相で分配し、一方を位相器１１１に出力し、他方を高周波スイッチ１１２に出力する。
【００３２】
移相器１１１は、例えば、集中定数素子又は分布定数素子によって構成される回路であり、整合回路１１３又は整合回路１１５に給電される高周波信号の位相を整合回路１１４に給電される高周波信号の位相に対して異なる値にする。
【００３３】
高周波スイッチ１１２は、例えば、ＦＥＴ（Field Effect Transistor）やＰＩＮダイオードで構成されており、制御部１２３の制御信号によって、整合回路１１３又は整合回路１１５のいずれに給電するかを選択する。
【００３４】
整合回路１１３、整合回路１１４及び整合回路１１５は、板状導体１０４、板状導体１０６及び板状導体１０７のインピーダンスを無線回路１０９の回路インピーダンス（一般に、５０Ω）に整合をとる。各整合回路のグラウンド電位は、グラウンド板１０８上のグラウンドパターンに接地している。
【００３５】
給電点１２０は、板状導体１０４の下部に設けられ、給電線１１７を介して整合回路１１４に電気的に接続されており、給電点１１９及び給電点１２１は、板状導体１０６及び板状導体１０７の下部に設けられ、それぞれ給電線１１６及び給電線１１８を介して整合回路１１３及び整合回路１１５に電気的に接続されている。給電線１１６、給電線１１７及び給電線１１８は、自在に曲がるフレキシブルな線材が用いられ、これによりヒンジ部１０３において上ケース１０１が回動可能となる。
【００３６】
重力センサ１２２は、携帯無線機の傾き角を検知し、検知した傾き角を制御部１２３に通知する。傾き角は、例えば、重力方向に対して傾いた角度とする。制御部１２３は、重力センサ１２２から通知された傾き角、または無線回路１０９から通知された受信レベルによって、高周波スイッチ１１２を制御する。
【００３７】
このような構成を有することにより、板状導体１０４及び板状導体１０６又は板状導体１０７とグラウンド板１０８が異なる位相で同時に給電されたダイポールアンテナとして動作する。
【００３８】
次に、上記構成を有する折り畳み式携帯無線機のアンテナ動作について説明する。ここでは、動作周波数を２．１４ＧＨｚに設定して説明する。
【００３９】
まず、使用者が折り畳み式携帯無線機を手で保持している通話状態について説明する。図２は、通話状態を示す図である。この図では、使用者が携帯電話を右手で保持して耳に近接させて使用する状態を示している。
【００４０】
ここで、例えば、使用者が携帯電話を右手に持って通話した場合、重力センサ１２２が携帯無線機の傾いた角度（傾き角）を検知して、その角度情報を制御部１２３に通知する。
【００４１】
制御部１２３は、重力センサ１２２から通知された角度情報に基づいて、板状導体１０７を選択する信号を高周波スイッチ１１２に出力し、高周波スイッチ１１２は整合回路１１５に給電するようにスイッチされる。移相器１１１は、整合回路１１５に給電される高周波信号の位相に対して、電力分配器１１０から移相器１１１を介して整合回路１１４に給電される高周波信号の位相を２７０°遅らせる（又は９０°早める）。ここで、選択されていない板状導体１０６の給電点１１９は、ある所定のインピーダンス（例えば、開放状態）となる。
【００４２】
この場合において、図１の座標系における放射パターンを図３に示す。図３（ａ）はＸＹ面の垂直偏波成分（Ｅθ）を示し、図３（ｂ）はＹＺ面の垂直偏波成分（Ｅθ）を示している。板状導体１０４と板状導体１０７に上述したように位相差を設けて給電した場合の指向性は、−Ｘ方向及び−Ｙ方向に利得が高くなるように指向性を制御することができる。すなわち、図２に示す右手保持の通話状態の場合、頭部及び肩に対して反対方向に指向性を制御することができ、−４ｄＢと高い放射効率が得られ、指向性制御を行わない場合に比較して通話状態での放射効率を２ｄＢ高くすることができる。
【００４３】
一方、左手に持って通話した場合（図示せず）は、重力センサ１２２の角度検知結果に基づいて、制御部１２３が高周波スイッチ１１２を制御することによって板状導体１０６を選択し、整合回路１１３に給電する。また、制御部１２３は、整合回路１１３に給電される高周波信号の位相に対して、整合回路１１４に給電する高周波信号の位相を２７０°遅らせる（又は９０°早める）ように、移相器１１１の位相を制御する。
【００４４】
この場合において、図１の座標系における放射パターンを図４に示す。図４（ａ）はＸＹ面の垂直偏波成分（Ｅθ）を示し、図４（ｂ）はＹＺ面の垂直偏波成分（Ｅθ）を示している。この図が示すように、−Ｘ方向及び＋Ｙ方向に指向性を制御することができる。すなわち、左手保持の通話状態の場合に、頭部及び肩に対して反対方向に指向性指向性を制御することができ、−４ｄＢと高い放射効率が得られ、指向性制御を行わない場合に比較して通話状態での放射効率を２ｄＢ高くすることができる。
【００４５】
次に、使用者が折り畳み式携帯無線機を右手又は左手で保持し、指でキーパネルを操作して使用する操作状態について説明する。図５は、操作状態を示す図である。
【００４６】
この場合、重力センサ１２２が携帯無線機の傾き角を検知し、その角度情報を制御部１２３に通知する。制御部１２３は、重力センサ１２２から通知された角度情報に基づいて、板状導体１０６または板状導体１０７のいずれかを選択する。いずれの板状導体を選択しても指向性は人体と反対方向に制御することができるため、操作状態の放射効率は−２ｄＢと高くなる。
【００４７】
ここで、例えば、板状導体１０６が選択され、キーパネルを操作する場合に使用者の指が板状導体１０６の配置場所に触れた場合、板状導体１０６からの放射が大幅に低下し、板状導体１０４からの放射となるため、放射効率が２.５ｄＢ程度低下する。
【００４８】
このとき、制御部１２３は無線回路１０９より通知された受信レベルが低下したと判断し、板状導体１０７に給電するように高周波スイッチ１１２を切り替える制御を行うと、低下した放射効率を２ｄＢ改善することができ、通信性能を向上させることができる。
【００４９】
本実施の形態における携帯無線機では、指向性を制御するための高周波スイッチの切替が行われる瞬間においても、板状導体１０４が必ず接続されており、全てのアンテナ素子が開放状態となることはない。したがって、携帯無線機側で連続送信動作や送信電力制御が行われるＣＤＭＡ方式においても通信に支障を及ぼさない。
【００５０】
このように本実施の形態によれば、折り畳み式携帯無線機の使用状態に応じた傾き角を検知し、検知した傾き角に基づいて、板状導体１０６又は板状導体１０７を選択的に給電すると共に、その板状導体を励振する位相に対して所定の位相差を有する信号で板状導体１０４を給電することにより、ＣＤＭＡ方式の通信に支障を及ぼすことなく、様々な使用状態においても高いアンテナ放射効率を確保することができる。
【００５１】
なお、本実施の形態において、板状導体１０４として、上ケース１０１の一部を構成する金属フレーム、上ケース１０１内部に配置される回路基板、又はアンテナ素子専用の板状導体素子を用いてもよい。
【００５２】
また、本実施の形態において、操作状態で使用者の指が板状導体の配置場所に触れて受信レベルが低下した場合は、受信レベルの低下を検知して他の板状導体に切り替えるとして説明したが、通話状態でも同様に行うことにより、放射効率の低下を最小限（１ｄＢ）に抑えることができる。
【００５３】
（実施の形態２）
図６は、本発明の実施の形態２に係る携帯無線機の構成を示す図である。この図では、折り畳み式携帯無線機の開状態を示している。図６（ａ）は携帯無線機の背面図であり、図６（ｂ）は図６（ａ）におけるＢ−Ｂ’の断面図である。ただし、図６が図１と共通する部分には図１と同一の符号を付し、その詳しい説明は省略する。
【００５４】
図６において、重力センサ１２２は、携帯無線機の傾き角を検知し、検知した傾き角を制御部２０１に通知する。制御部２０１は、重力センサ１２２から通知された傾き角に応じて移相器２０２を制御する。
【００５５】
移相器２０２は、制御部２０１からの制御信号に基づいて、整合回路１１３に給電する高周波信号の位相を変える。すなわち、整合回路１１３に給電される高周波信号の位相は、整合回路１１５に給電される高周波信号の位相と位相差を有することになる。したがって、重力センサ１２２からの角度検知結果に応じて、連続的に給電位相を変化させることによって、指向性を連続的に制御することができる。これにより、ＣＤＭＡ方式で通信中に携帯無線機の使用状態が変化した場合でも、アンテナ利得の低下を抑え、通信に及ぼす支障を回避することができる。
【００５６】
次に、上記構成を有する折り畳み式携帯無線機のアンテナ動作について説明する。まず、図２に示すような携帯無線機を右手に保持した通話状態では、重力センサ１２２が携帯無線機の傾いた角度（傾き角）を検知して、その角度情報を制御部２０１に通知する。
【００５７】
制御部２０１は、重力センサ１２２から通知された角度情報に基づいて、整合回路１１３に給電される高周波信号の位相を整合回路１１５に給電される高周波信号の位相に対して９０°遅れるように位相器２０２を制御する。この場合、図７（ａ）に示す放射パターンとなり、−Ｙ方向に指向性を制御することができる。したがって、右手に保持した通話状態の場合、肩と反対方向に指向性を制御することができ、肩の影響による放射効率の低下分である０．７ｄＢ程度を改善することができる。
【００５８】
次に、左手に保持した通話状態では、重力センサ１２２からの角度情報に基づいて、制御部２０１は、整合回路１１３に給電される高周波信号の位相を整合回路１１５に給電される高周波信号の位相に対して２７０°遅れるように位相器２０２を制御する。この場合、図７（ｂ）に示す放射パターンとなり、＋Ｙ方向に指向性を制御することができる。したがって、左手に保持した通話状態の場合、肩と反対方向に指向性を制御することができ、肩の影響による放射効率の低下分である０．７ｄＢ程度を改善することができる。
【００５９】
また、図３に示すような操作状態では、例えば、水平方向で到来する電波が高い場合は、給電位相差を１８０°とすることで指向性が図７（ｃ）に示すように±Ｙ方向に制御され、良好な通信性能が得られる。ちなみに、給電位相差を０°とした場合の指向性が図７（ｄ）のようになる。
【００６０】
上記構成を有する携帯無線機は、板状導体１０６及び板状導体１０７の厚みを、例えば、０．１ｍｍ程度に設定し、上ケース１０１の内部においてケースの裏面に沿って配置することにより、さらなる薄型化を実現することができる。
【００６１】
このように本実施の形態によれば、板状導体１０６と板状導体１０７に給電する信号の位相差を使用状態に応じて制御することにより、通信中に携帯無線機の使用状態が変化しても、ＣＤＭＡ方式の通信に及ぼす支障を回避することができ、特に通話状態において肩の影響を低減することになるので、高いアンテナ放射効率を確保し、さらなる薄型化を実現することができる。
【００６２】
（実施の形態３）
図８は、本発明の実施の形態３に係る携帯無線機の構成を示す図である。この図では、折り畳み式携帯無線機の開状態を示している。図８（ａ）は携帯無線機の背面図であり、図８（ｂ）は図８（ａ）におけるＣ−Ｃ’の断面図である。ただし、図８が図１と共通する部分には図１と同一の符号を付し、その詳しい説明は省略する。
【００６３】
図８において、板状導体３０１は、例えば、長さＬ３が７０ｍｍで幅が３ｍｍ程度の銅板からなり、上ケース１０１の内部において上ケース１０１の短辺と平行で表示部１０５と反対面の下端に配置されている。この場合、上ケース１０１の下端の短辺方向の長さが５０ｍｍ程度であるため、給電点１２１付近で折り返して７０ｍｍの長さを確保している。
【００６４】
板状導体３０２は、例えば、長さＬ３が７０ｍｍで幅が３ｍｍ程度のＬ字形の銅板からなり、屈曲部から一端までの長さが２０ｍｍの短部と屈曲部から他端までの長さが５０ｍｍの長部を有する。板状導体３０２は、上ケース１０１の内部において上ケース１０１の表示部１０５の反対面に沿って配置され、短部の一端が該ケースの下端で給電点１１９を有し、短部が長辺方向に沿って配置されている。
【００６５】
次に、上記構成を有する折り畳み式携帯無線機のアンテナ動作について説明する。移相器３０３では、電力分配器１１０から整合回路１１５に給電される高周波信号の位相に対して、電力分配器１１０から出力され、整合回路１１３に給電される高周波信号の位相を９０°早める（又は２７０°遅らせる）。
【００６６】
この場合において、図８の座標系における放射パターンを図９に示す。この図では、ＸＺ面の水平偏波成分（Ｅφ）を示している。板状導体３０１及び板状導体３０２を上ケース１０１の短辺に平行に配置したために、この場合の主偏波成分は垂直偏波となり、指向性はＺ方向に利得が高くなるように指向性を制御することができる。すなわち、図２に示す通話状態では、後頭部方向に指向性を制御することで高い放射効率が得られ、また、携帯無線機が傾けて使用されるために垂直偏波成分を高くすることができる。これにより、陸上移動通信の伝搬環境における実効利得を向上させることができる。
【００６７】
また、図３に示す操作状態でも、人体に対して反対方向に指向性が制御されるため、高い放射効率が得られる。
【００６８】
上記構成を有する携帯無線機では、板状導体３０１及び板状導体３０２は、厚みが、例えば、０．１ｍｍ程度に設定され、上ケース１０１の内部においてケースの表示部１０５面と反対面に沿って配置されるために、さらなる薄型化を実現することができる。
【００６９】
このように本実施の形態によれば、Ｌ字形の板状導体３０１と板状導体３０２とを、Ｌ字形の長部が携帯無線機の幅方向と略平行に配置することにより、主偏波方向が携帯無線機の幅方向となることから、様々な使用状態においても、人体と反対方向に指向性を制御することができるので、高いアンテナ放射効率を確保することができ、さらなる薄型化を実現することができる。
【００７０】
なお、上述した各実施の形態において、電力分配合成器はウィルキンソン型電力分配器に限るものではなく、双方向性を有する電力分配器であればよい。
【００７１】
また、上述した各実施の形態の携帯無線機の折り畳み構造は、第１筐体と第２筐体の短辺に設けられたヒンジ部を中心に折り畳む構造として説明したが、本発明はこれに限らず、第１筐体と第２筐体の向き合う面に設けられたヒンジ部を中心に折り畳む構造であってもよいし、第１筐体と第２筐体とが互いに摺動するスライド式構造であってもよい。要は、第１筐体と第２筐体とを有する携帯無線機であればどのような構造であってもよい。
【００７２】
また、上述した各実施の形態は、適宜組み合わせて使用してもよい。
【産業上の利用可能性】
【００７３】
本願発明にかかる携帯無線機は、折り畳み式携帯無線機の多様な使用状態において、ＣＤＭＡ方式の通信に支障を及ぼすことなく、高いアンテナ放射効率と高い実効利得を確保し、薄型の携帯無線機を実現するという効果を有し、折り畳み式の携帯電話等に有用である。
【図面の簡単な説明】
【００７４】
【図１】（ａ）本発明の実施の形態１に係る携帯無線機の構成を示す背面図、（ｂ）本発明の実施の形態１に係る携帯無線機の構成を示す断面図
【図２】使用者が携帯無線機を手で保持している通話状態を示す図
【図３】（ａ）ＸＹ面の垂直偏波成分を示す放射パターン図、（ｂ）ＹＺ面の垂直偏波成分を示す放射パターン図
【図４】（ａ）ＸＹ面の垂直偏波成分を示す放射パターン図、（ｂ）ＹＺ面の垂直偏波成分を示す放射パターン図
【図５】使用者が携帯無線機を手で保持している操作状態を示す図
【図６】（ａ）本発明の実施の形態２に係る携帯無線機の構成を示す背面図、（ｂ）本発明の実施の形態２に係る携帯無線機の構成を示す断面図
【図７】本発明の実施の形態２における放射パターンを示す図
【図８】（ａ）本発明の実施の形態３に係る携帯無線機の構成を示す背面図、（ｂ）本発明の実施の形態３に係る携帯無線機の構成を示す断面図
【図９】本発明の実施の形態３における放射パターンを示す図
【符号の説明】
【００７５】
１０１  上ケース
１０２  下ケース
１０３  ヒンジ部
１０４、１０６、１０７、３０１、３０２  板状導体
１０５  表示部
１０８  グラウンド板
１０９  無線回路
１１０  電力分配器
１１１、２０２、３０３  移相器
１１２  高周波スイッチ
１１３、１１４、１１５  整合回路
１１６、１１７、１１８  給電線
１１９、１２０、１２１  給電点
１２２  重力センサ
１２３、２０１  制御部
【図１】
2005130216.tif 000003
【図２】
2005130216.tif 000004
【図３】
2005130216.tif 000005
【図４】
2005130216.tif 000006
【図５】
2005130216.tif 000007
【図６】
2005130216.tif 000008
【図７】
2005130216.tif 000009
【図８】
2005130216.tif 000010
【図９】
2005130216.tif 000011